(57)【要約】【課題】  包装フィルムやティッシュペーパー等の軽くて変形し易いゴミが投じられても強制的に搬送して回収できるようにする。【解決手段】  底面に小孔３ａが形成された複数の灰皿３を所定間隔おいて配置し、その灰皿３の下方に長尺の回収路４を灰皿３の配置方向に沿って設け、その回収路４内に灰皿３の小孔３ａから落下する吸殻Ｔを受ける往路小溝４ａを長手方向に沿って形成し、その往路小溝４ａの底部に吸殻Ｔを搬送する搬送コンベヤの往路６ａを配置し、その搬送コンベヤの終端の下方に搬送された吸殻Ｔを落下させて回収する回収箱を設けた吸殻回収装置において、前記往路小溝４ａの両側の側壁の上端に内側へ向かって傾斜する斜面が形成された張出部４ｉを長手方向に沿って長く形成する。【選択図】  図５
2011030618.tif 000002
【特許請求の範囲】
【請求項１】
底面に小孔が形成された複数の灰皿を所定間隔おいて配置し、その灰皿の下方に長尺の回収路を灰皿の配置方向に沿って設け、その回収路内に灰皿の小孔から落下するタバコの吸殻を受ける小溝を長手方向に沿って形成し、その小溝の底部に吸殻を搬送する搬送コンベヤの往路を配置し、その搬送コンベヤの終端の下方に搬送された吸殻を落下させて回収する回収箱を設けたタバコの吸殻回収装置において、前記小溝の両側の側壁の上端に内側へ突出する張出部を長手方向に沿って長く形成したことを特徴とする、タバコの吸殻回収装置。
【請求項２】
回収路の小溝の張出部の上面が、内側に向かって傾斜する斜面を形成したものである、請求項１記載のタバコの吸殻回収装置。
【請求項３】
回収路内の搬送コンベヤが１条のリンクチェーンである、請求項１又は２記載のタバコの吸殻回収装置。
【請求項４】
搬送コンベヤの搬送面に複数の突起を所定間隔おいて形成した、請求項１〜３いずれか記載のタバコの吸殻回収装置。
【請求項５】
複数の遊技機が列設された島のテーブルに取り付けられるものである、請求項１〜４いずれか記載のタバコの吸殻回収装置。
【発明の詳細な説明】
【技術分野】
【０００１】
本発明は、灰皿に投じられたタバコの吸殻を自動的に回収するタバコの吸殻回収装置に関する。
【背景技術】
【０００２】
従来のタバコの吸殻回収装置が特許文献１で開示されている。この技術は、図８に示すように、底面に小孔が形成された複数の灰皿を直線状に配置し、その灰皿の下方に長尺の回収路１４を設け、その回収路１４内に灰皿の小孔から落下する吸殻を搬送する搬送コンベヤ１６を配置し、その搬送コンベヤ１６の終端の下方に搬送された吸殻を落下させて回収する回収箱１５を設けた構造を特徴としている。図中、１４ｄ，１４ｅ，１４ｆは従動ローラ、１４ｇは駆動スプロケット、１７はモータ、１８は駆動チェーン、１９は搬送コンベヤ１６を緊張するバネ、Ｗは消火水である。
【０００３】
ところで、前記の技術は、実際の運用では吸殻以外にタバコの包装フィルムやティッシュペーパー等のゴミが投じられることも多い。このようなゴミは吸殻より軽くて変形し易いものであるから、ゴミが搬送コンベヤ１６に接触しても、その搬送コンベヤ１６の動きで上方へ逃げるように変形して浮き上がり、搬送コンベヤ１６が空回りして回収が困難となることがあった。
【先行技術文献】
【特許文献】
【０００４】
【特許文献１】特開２００４−３４４２１２号公報
【発明の概要】
【発明が解決しようとする課題】
【０００５】
本発明が解決しようとする課題は、従来のこれらの問題点を解消し、包装フィルムやティッシュペーパー等の軽くて変形し易いゴミが投じられても強制的に搬送して回収できるタバコの吸殻回収装置を提供することにある。
【課題を解決するための手段】
【０００６】
かかる課題を解決した本発明の構成は、
１）  底面に小孔が形成された複数の灰皿を所定間隔おいて配置し、その灰皿の下方に長尺の回収路を灰皿の配置方向に沿って設け、その回収路内に灰皿の小孔から落下するタバコの吸殻を受ける小溝を長手方向に沿って形成し、その小溝の底部に吸殻を搬送する搬送コンベヤの往路を配置し、その搬送コンベヤの終端の下方に搬送された吸殻を落下させて回収する回収箱を設けたタバコの吸殻回収装置において、前記小溝の両側の側壁の上端に内側へ突出する張出部を長手方向に沿って長く形成したことを特徴とする、タバコの吸殻回収装置
２）  回収路の小溝の張出部の上面が、内側に向かって傾斜する斜面を形成したものである、前記１）記載のタバコの吸殻回収装置
３）  回収路内の搬送コンベヤが１条のリンクチェーンである、前記１）又は２）記載のタバコの吸殻回収装置
４）  搬送コンベヤの搬送面に複数の突起を所定間隔おいて形成した、前記１）〜３）いずれか記載のタバコの吸殻回収装置
５）  複数の遊技機が列設された島のテーブルに取り付けられるものである、前記１）〜４）いずれか記載のタバコの吸殻回収装置
にある。
【発明の効果】
【０００７】
本発明によれば、軽くて変形し易いゴミが灰皿に投じられて小孔から落下すると、搬送コンベヤの動きで上方へ逃げるように変形して浮き上がろうとする。しかし、ゴミは小溝の張出部で逃げ場を抑えられて浮き上がり難くなり、張出部と搬送コンベヤに強く接触する。その摩擦でゴミは搬送コンベヤ上で転動しながら強制的に搬送され、回収箱に回収される。このように、軽くて変形し易いゴミが投じられても空回りが防止され、確実に回収できるようになる。
【図面の簡単な説明】
【０００８】
【図１】実施例のタバコの吸殻回収装置の取り付け状態を示す一部切欠き斜視図である。
【図２】実施例のタバコの吸殻回収装置の縦断面図である。
【図３】実施例のタバコの吸殻回収装置の終端部の一部切欠き斜視図である。
【図４】実施例のタバコの吸殻回収装置の始端部の一部切欠き斜視図である。
【図５】図２のＡ−Ａ’線断面図である。
【図６】実施例のゴミの動きを示す説明図である。
【図７】実施例の他の例のゴミの動きを示す説明図である。
【図８】従来のタバコの吸殻回収装置の縦断面図である。
【発明を実施するための形態】
【０００９】
本発明では、回収路の小溝の張出部の上面を内側へ向かって傾斜する斜面に形成すると、左右の張出部がシュートの形となり、吸殻やゴミが小溝内に落下し易くなる。搬送コンベヤはベルト材や金属製のリンクチェーン等があり、撓みが無く耐火性に優れるリンクチェーンが望ましい。搬送コンベヤには突起を形成し、その突起で吸殻やゴミを引っ掛けてより搬送し易くしてもよい。搬送コンベヤは吸殻やゴミの量及び装置の規模に応じて１条又は２条設けてもよい。以下、本発明の実施例を図面に基づいて具体的に説明する。
【実施例】
【００１０】
図１〜６に示す実施例は、複数のパチンコ台が列設された島に本発明のタバコの吸殻回収装置を取り付けた例である。図１は実施例のタバコの吸殻回収装置の取り付け状態を示す一部切欠き斜視図、図２は実施例のタバコの吸殻回収装置の縦断面図、図３は実施例のタバコの吸殻回収装置の終端部の一部切欠き斜視図、図４は実施例のタバコの吸殻回収装置の始端部の一部切欠き斜視図、図５は図２のＡ−Ａ’線断面図、図６は実施例のゴミの動きを示す説明図である。
【００１１】
図中、１はパチンコ台、２はテーブル、３は灰皿、３ａは小孔、４は回収路、４ａは往路小溝、４ｂは復路小溝、４ｃは路端壁、４ｄ，４ｅ，４ｆは従動ローラ、４ｇは駆動スプロケット、４ｈは従動歯車、４ｉは張出部、５は回収箱、６は搬送コンベヤ、６ａは往路、６ｂは復路、７はモータ、７ａは駆動歯車、８は駆動チェーン、９はバネ、Ｔは吸殻、Ｔａはゴミ、Ｗは消火水である。
【００１２】
本実施例のタバコの吸殻回収装置は、図１〜５に示すように、複数台が列設されたパチンコ台１の下方に細長のテーブル２を取り付け、底面に小孔３ａが形成された灰皿３をテーブル２のパチンコ台１毎の位置に取り付け、テーブル２の下面に長尺の回収路４を灰皿３の設置方向に沿って取り付けている。
【００１３】
回収路４は、深底の往路小溝４ａを灰皿３の小孔３ａの真下に形成し、浅底の復路小溝４ｂを往路小溝４ａの隣接位置に形成し、路端には路端壁４ｃを形成してその下方に回収箱５を脱着可能に取り付けている。往路小溝４ａの両側の側壁の上端には、内側へ向かって傾斜する斜面が形成された張出部４ｉを長手方向に沿って長く形成している。張出部４ｉ間の間隔は、吸殻Ｔが容易に通過できる間隔に形成している。
【００１４】
回収路４の始端部には従動ローラ４ｄを軸支し、回収箱５の上方には従動ローラ４ｅ，４ｆを軸支し、従動ローラ４ｅ，４ｆ間に駆動スプロケット４ｇを軸支し、従動ローラ４ｄ・駆動スプロケット４ｇ・従動ローラ４ｆ間に金属製のリンクチェーンからなる搬送コンベヤ６の往路６ａを掛架して往路小溝４ａの底部に配置し、従動ローラ４ｄ，４ｅ，４ｆ間に搬送コンベヤ６の復路６ｂを掛架して復路小溝４ｂの底部に配置している。
【００１５】
回収路４の下部にはモータ７を取り付け、そのモータ７の出力軸に軸着した駆動歯車７ａと駆動スプロケット４ｇに軸着した従動歯車４ｈ間に駆動チェーン８を掛架し、従動ローラ４ｆを下方へ付勢して搬送コンベヤ６を緊張するバネ９を従動ローラ４ｆの軸端位置に取り付けている。回収路４の始端部の底部には消火水Ｗを貯水している。
【００１６】
本実施例では、モータ７を作動させると、駆動スプロケット４ｇが搬送コンベヤ６の往路６ａを路端壁４ｃ側へ引っ張って回動させる。図５に示すように、吸殻Ｔが灰皿３に投じられると、小孔３ａを通じて搬送コンベヤ６の往路６ａ上に落下し、搬送コンベヤ６で路端壁４ｃ側へ搬送されて回収箱５に落下して回収される。搬送コンベヤ６は消火水Ｗで濡れて冷却されるとともに、吸殻Ｔの火を消火する。
【００１７】
ここで、軽くて変形し易いゴミＴａが灰皿３に投じられて小孔３ａから落下すると、搬送コンベヤ６の動きで上方へ逃げるように変形して浮き上がろうとする。しかし、張出部４ｉで逃げ場を抑えられて浮き上がり難くなり、張出部４ｉと搬送コンベヤ６に強く接触する。図６に示すように、その摩擦でゴミＴａは搬送コンベヤ６上で転動しながら強制的に搬送され、回収箱５に回収される。このように、軽くて変形し易いゴミＴａが投じられても空回りが防止され、確実に回収される。
【００１８】
また、ゴミＴａの大きさが小さく、張出部４ｉと搬送コンベヤ６との摩擦が弱くて空回りする場合も、後続の吸殻Ｔや別のゴミＴａに押された際に上方へ浮き上がろうとし、前記と同様に張出部４ｉで逃げ場を抑えられて張出部４ｉと搬送コンベヤ６に強く接触する。したがって、ゴミＴａが投じられた直後に搬送されなくても、いずれは後続の吸殻Ｔや別のゴミＴａによって張出部４ｉ及び搬送コンベヤ６との摩擦が強められ、確実に回収される。
【００１９】
図７に示すのは、搬送コンベヤの搬送面に突起を形成した実施例のタバコの吸殻回収装置の他の例である。図７は実施例の他の例のゴミの動きを示す説明図である。図中、６ｃは突起である。この例では、搬送コンベヤ６の搬送面に複数の突起６ｃを所定間隔おいて突設している。突起６ｃは、往路小溝４ａの深さのおよそ１／４の高さに形成している。
【００２０】
図７に示すように、ゴミＴａが往路小溝４ａの途中で止まって搬送コンベヤ６に接触しない場合、突起６ｃがゴミＴａを後方から引っ掛け、ゴミＴａはその際に張出部４ｉに強く接触して転動する。したがって、ゴミＴａは突起６ｃに引っ掛けられる度に転動して少しずつ搬送され、いずれは往路６ａの終端まで搬送されて確実に回収される。その他、符号、構成、作用効果は実施例と同じである。
【産業上の利用可能性】
【００２１】
本発明の技術は、遊技場・食堂・喫茶店・会議室・待合室等に利用できる。
【符号の説明】
【００２２】
１  パチンコ台
２  テーブル
３  灰皿
３ａ  小孔
４  回収路
４ａ  往路小溝
４ｂ  復路小溝
４ｃ  路端壁
４ｄ，４ｅ，４ｆ  従動ローラ
４ｇ  駆動スプロケット
４ｈ  従動歯車
４ｉ  張出部
５  回収箱
６  搬送コンベヤ
６ａ  往路
６ｂ  復路
６ｃ  突起
７  モータ
７ａ  駆動歯車
８  駆動チェーン
９  バネ
１４  回収路
１４ｄ，１４ｅ，１４ｆ  従動ローラ
１４ｇ  駆動スプロケット
１５  回収箱
１６  搬送コンベヤ
１７  モータ
１８  駆動チェーン
１９  バネ
Ｔ  吸殻
Ｔａ  ゴミ
Ｗ  消火水
【図１】
2011030618.tif 000003
【図２】
2011030618.tif 000004
【図３】
2011030618.tif 000005
【図４】
2011030618.tif 000006
【図５】
2011030618.tif 000007
【図６】
2011030618.tif 000008
【図７】
2011030618.tif 000009
【図８】
2011030618.tif 000010